(57)【特許請求の範囲】
【請求項１】
履物物品用のインソールアセンブリであって、該インソールアセンブリは、
柔質で弾性的に圧縮可能なクッション性部材であって、該クッション性部材は、足の足底表面を係合するための上部表面および底部表面を有する、クッション性部材と、
硬質で弾性的に可撓な支持部材であって、該支持部材は、該クッション性部材の該底部表面の一部と係合される、支持部材と
を備え、
該支持部材は、該クッション性部材のヒール端部周りに延在する後足部分、および該支持部材における中央開口部の両側において該後足部分から前向きに延在する内側部分および外側部分を有し、該内側部分は、該インソールの外部から下向きに傾斜している土踏まず移行部分を含む、インソールアセンブリ。
【請求項２】
前記支持部材は、前記履物の中足区域付近で前記内側部分および外側部分を接続する前端部分を含む、請求項１に記載のインソールアセンブリ。
【請求項３】
前記支持部材は、該支持部材が前記クッション性部材の周辺部全体に沿って延在するように前記内側部分および外側部分を接続する前端部分を含む、請求項１に記載のインソールアセンブリ。
【請求項４】
前記支持部材は、前記内側部分および外側部分を接続する前端部分を含み、該前端部分は、前記インソールの前部に向かってテーパー状である、請求項１に記載のインソールアセンブリ。
【請求項５】
前記支持部材は、前記内側部分および外側部分を接続する前端部分を含み、該前端部分の前部は、前記履物の中足部付近で前記クッション性部材の前部に当接する、請求項１に記載のインソールアセンブリ。
【請求項６】
前記土踏まず移行部分は、前記インソールの外部における内壁から、前記クッション性部材の前記底部表面の下の内側フランジ部分まで下向きに傾斜している、請求項１に記載のインソールアセンブリ。
【請求項７】
前記土踏まず移行部分は、着用者の土踏まずに沿って略凹形である、請求項１に記載のインソールアセンブリ。
【請求項８】
履物物品用のインソールアセンブリであって、該インソールアセンブリは、
柔質で弾性的に圧縮可能なクッション性部材であって、該クッション性部材は、足の足底表面を係合するための上部表面および底部表面を有する、クッション性部材と、
硬質で弾性的に可撓な支持部材であって、該支持部材は、該クッション性部材の該底部表面の一部と係合される、支持部材と
を備え、
該支持部材は、該クッション性部材のヒール端部周りに延在する後足部分、および該支持部材における中央開口部の両側において、該後足部分から、該履物の中足区域付近にある前端部分まで前向きに延在する内側部分および外側部分を有し、該中央開口部を作り出している、インソールアセンブリ。
【請求項９】
前記支持部材は、前記クッション性部材の周辺部全体に沿って延在する、請求項８に記載のインソールアセンブリ。
【請求項１０】
前記前端部分は、前記インソールの前部に向かってテーパー状である前端フランジ部を含む、請求項８に記載のインソールアセンブリ。
【請求項１１】
支持部材は、前記インソールの外部上の内壁から前記クッション性部材の前記底部表面の下の内側フランジ部分まで下向きに傾斜している土踏まず移行部分を含む、請求項８に記載のインソールアセンブリ。
【請求項１２】
支持部材は、着用者の土踏まずに沿って略凹形である土踏まず移行部分を含む、請求項８に記載のインソールアセンブリ。
【請求項１３】
前記支持部材の前部は、前記履物の前記クッション性部材の中足部の前部に接続されている、請求項８に記載のインソールアセンブリ。
【請求項１４】
履物物品用のインソールアセンブリであって、該インソールアセンブリは、
柔質で弾性的に圧縮可能な全長クッション性部材であって、該クッション性部材は、足の足底表面を係合するための上部表面および底部表面を有する、クッション性部材と、
硬質で弾性的に可撓な支持部材であって、該支持部材は、該クッション性部材の該底部表面の一部と係合される、支持部材と
を備え、
該支持部材は、該クッション性部材のヒール端部周りに延在する後足部分、および該支持部材における中央開口部の両側において該後足部分から前向きに延在する内側部分および外側部分を有し、該内側部分は、該インソールの外部から該クッション性部材の該底部表面の下の内側フランジ部分まで下向きに傾斜している土踏まず移行部分を含む、インソールアセンブリ。
【請求項１５】
前記外側部分の前方位置は、土踏まず部中間で終わる、請求項１４に記載のインソールアセンブリ。
【請求項１６】
内壁の前部位置は、前記土踏まず移行部分に突き当たって、土踏まず部中間で終わる、請求項１４に記載のインソールアセンブリ。
【請求項１７】
前記土踏まず移行部分の前方位置は、前記内側部分の前方位置の後方で終わる、請求項１４に記載のインソールアセンブリ。
【請求項１８】
前記土踏まず移行部分の前記底部は、着用者の土踏まずに沿って略凹形である、請求項１４に記載のインソールアセンブリ。
【発明の詳細な説明】
【技術分野】
【０００１】
（関連出願に対する相互参照）
本願は、米国特許法§１１９（ｅ）の下、２０１５年１月１４日に出願された「Ｉｎｓｏｌｅｓ  ｆｏｒ  Ｆｏｏｔｗｅａｒ」というタイトルの米国仮特許出願第６２／１０３，４９２号の利益を主張し、この出願は、参照により、本明細書に援用される。
【０００２】
（技術分野）
本願は、概して、履物用インソールに関連し、より具体的には、排他的ではないが、柔質クッション性上部部材と、硬質補強支持部とを有する輪郭付きインソールに関連し、硬質補強支持部は、クッション性部材を受け取り、それにより、インソールの所定の領域において支持を提供し、クッション性部材の前端部の変形を軽減させる。
【背景技術】
【０００３】
（背景）
様々なタイプのクッション性インソールが、靴における使用において使用において（具体的には、運動活動を意図したランニングシューズおよび他の靴における使用において）公知である。典型的には、これらのインソールは、靴のミッドソールの上に載っている発泡材料の相対的に薄い層の形態をとり、洗浄または取り替えのために取り外し可能である場合がある。
【０００４】
一般に使用されているが、この一般的なタイプの従来のインソールは、典型的には、様々な点で、理想的ではない特性を有する。第１に、発泡材料の上面は、着用者の足を支持して受け取るために、はっきりした輪郭を与えられる場合があるが、発泡体は主に足の衝撃を和らげるように意図されているので、発泡体は、典型的には、足（具体的には、後足部および土踏まず領域において）の適切な生体力学的機能に対する必要な支持を同時に提供するために、十分な強度および硬度を欠いている。この問題は、多くの運動靴が、程度の差はあるが「柔らかい面をもって」おり、すなわち、アッパーが、圧力下で外向きにたわむ布、ビニル、または他の可撓な材料から形成されており、それによって、インソール周りにほんの少しの内向き支え（ｉｎｗａｒｄ  ｂｕｔｔｒｅｓｓｉｎｇ）を提供するという事実によって悪化させられる可能性がある。結果として、従来の輪郭付きインソールは、いずれの有意なレベルの支持も提供することなく足の下で下向きかつ外向きに変形し「ぼろぼろになる」傾向があり、経時的に自身の形状を破壊し失う傾向もある。よって、効果的なクッション性を足に提供するがそれにもかかわらず使用において耐久性があり長持ちする、軽量で低価格の輪郭付きインソールの必要性が存在する。したがって、本発明が成したのは、これらの考察およびその他に関する。
【発明の概要】
【課題を解決するための手段】
【０００５】
本発明の限定的でも包括的でもない実施形態が、以下の図面を参照して記載されている。図面において、同様の参照数字は、他の態様で明記されない限り、様々な図面全体を通して、同様の構成要素に言及する。
【０００６】
本発明は、例えば、以下を提供する：
（項目１）
履物物品用のインソールアセンブリであって、該インソールアセンブリは、
実質的に柔質で弾性的に圧縮可能なクッション性部材であって、該クッション性部材は、足の足底表面を係合するための上部表面および底部表面を有する、クッション性部材と、
実質的に硬質で弾性的に可撓な支持部材であって、該支持部材は、該クッション性部材の該底部表面の一部と係合される、支持部材と
を備え、
該支持部材は、該クッション性部材のヒール端部周りに延在する後足部分と、該支持部材における中央開口部の両側において該後足部分から前向きに延在する内側部分および外側部分とを有し、該内側部分は、該インソールの外部から下向きに傾斜している土踏まず移行部分を含む、インソールアセンブリ。
（項目２）
前記支持部材は、前記履物の中足区域付近で前記内側部分および外側部分を接続する前端部分を含む、上記項目に記載のインソールアセンブリ。
（項目３）
前記支持部材は、該支持部材が前記クッション性部材の周辺部全体に沿って延在するように前記内側部分および外側部分を接続する前端部分を含む、上記項目のいずれかに記載のインソールアセンブリ。
（項目４）
前記支持部材は、前記内側部分および外側部分を接続する前端部分を含み、該前端部分は、前記インソールの前部に向かってテーパー状である、上記項目のいずれかに記載のインソールアセンブリ。
（項目５）
前記支持部材は、前記内側部分および外側部分を接続する前端部分を含み、該前端部分の前部は、前記履物の中足部付近で前記クッション性部材の前部に当接する、上記項目のいずれかに記載のインソールアセンブリ。
（項目６）
前記土踏まず移行部分は、前記インソールの外部における内壁から、前記クッション性部材の前記底面の下の内側フランジ部分まで下向きに傾斜している、上記項目のいずれかに記載のインソールアセンブリ。
（項目７）
前記土踏まず移行部分は、着用者の土踏まずに沿って略凹形である、上記項目のいずれかに記載のインソールアセンブリ。
（項目８）
履物物品用のインソールアセンブリであって、該インソールアセンブリは、
実質的に柔質で弾性的に圧縮可能なクッション性部材であって、該クッション性部材は、足の足底表面を係合するための上部表面および底部表面を有する、クッション性部材と、
実質的に硬質で弾性的に可撓な支持部材であって、該支持部材は、該クッション性部材の該底部表面の一部と係合される、支持部材と
を備え、
該支持部材は、該クッション性部材のヒール端部周りに延在する後足部分と、該支持部材における中央開口部の両側において、該後足部分から、該履物の中足区域付近にある前端部分まで前向きに延在する内側部分および外側部分とを有し、該中央開口部を作り出している、インソールアセンブリ。
（項目９）
前記支持部材は、前記クッション性部材の周辺部全体に沿って延在する、上記項目のいずれかに記載のインソールアセンブリ。
（項目１０）
前記前端部分は、前記インソールの前部に向かってテーパー状である前端フランジ部を含む、上記項目のいずれかに記載のインソールアセンブリ。
（項目１１）
支持部材は、前記インソールの外部上の内壁から前記クッション性部材の前記底部表面の下の内側フランジ部分まで下向きに傾斜している土踏まず移行部分を含む、上記項目のいずれかに記載のインソールアセンブリ。
（項目１２）
支持部材は、着用者の土踏まずに沿って略凹形である土踏まず移行部分を含む、上記項目のいずれかに記載のインソールアセンブリ。
（項目１３）
前記支持部材の前部は、前記履物の前記クッション性部材の中足部の前部に接続されている、上記項目のいずれかに記載のインソールアセンブリ。
（項目１４）
履物物品用のインソールアセンブリであって、該インソールアセンブリは、
実質的に柔質で弾性的に圧縮可能な全長クッション性部材であって、該クッション性部材は、足の足底表面を係合するための上部表面および底部表面を有する、クッション性部材と、
実質的に硬質で弾性的に可撓な支持部材であって、該支持部材は、該クッション性部材の該底部表面の一部と係合される、支持部材と
を備え、
該支持部材は、該クッション性部材のヒール端部周りに延在する後足部分と、該支持部材における中央開口部の両側において該後足部分から前向きに延在する内側部分および外側部分とを有し、該内側部分は、該インソールの外部から該クッション性部材の該底部表面の下の内側フランジ部分まで下向きに傾斜している土踏まず移行部分を含む、インソールアセンブリ。
（項目１５）
前記外側部分の前方位置は、土踏まず部中間で終わる、上記項目のいずれかに記載のインソールアセンブリ。
（項目１６）
内壁の前部位置は、前記土踏まず移行部分に突き当たって、土踏まず部中間で終わる、上記項目のいずれかに記載のインソールアセンブリ。
（項目１７）
前記土踏まず移行部分の前方位置は、前記内側部分の前方位置の後方で終わる、上記項目のいずれかに記載のインソールアセンブリ。
（項目１８）
前記土踏まず移行部分の前記底部は、着用者の土踏まずに沿って略凹形である、上記項目のいずれかに記載のインソールアセンブリ。
【０００７】
（摘要）
実施形態は、履物物品用のインソールアセンブリの方へ向けられている。インソールは、クッション性部材と支持部材とを含む。クッション性部材は、足の足底表面を係合するための上部表面と、履物のソールおよび支持部材を係合するための底部表面とを有する。支持部材は、クッション性部材の底部表面の一部と係合する。支持部材は、クッション性部材のヒール端部周りに延在する後足部分と、支持部材における中央開口部の両側において後足部分から前向きに延在する内側部分および外側部分と、履物の中足区域付近で内側部分および外側部分を接続する前端部分とを有し、後足部分、内側部分、外側部分および前端部分は、クッション性部材の周辺部に沿って、支持部材における中央開口部を取り囲む。
【図面の簡単な説明】
【０００８】
本発明のより良い理解のために、参照は、以下の詳細な説明に対してなされ、この詳細な説明は、添付図面と関係して読まれるべきである。
【図１Ａ】図１Ａ〜図１Ｍは、本明細書に記載されている実施形態に従った４分の３長クッション性インソールアセンブリの様々な異なるビューを示している。
【図１Ｂ】図１Ａ〜図１Ｍは、本明細書に記載されている実施形態に従った４分の３長クッション性インソールアセンブリの様々な異なるビューを示している。
【図１Ｃ】図１Ａ〜図１Ｍは、本明細書に記載されている実施形態に従った４分の３長クッション性インソールアセンブリの様々な異なるビューを示している。
【図１Ｄ】図１Ａ〜図１Ｍは、本明細書に記載されている実施形態に従った４分の３長クッション性インソールアセンブリの様々な異なるビューを示している。
【図１Ｅ】図１Ａ〜図１Ｍは、本明細書に記載されている実施形態に従った４分の３長クッション性インソールアセンブリの様々な異なるビューを示している。
【図１Ｆ】図１Ａ〜図１Ｍは、本明細書に記載されている実施形態に従った４分の３長クッション性インソールアセンブリの様々な異なるビューを示している。
【図１Ｇ】図１Ａ〜図１Ｍは、本明細書に記載されている実施形態に従った４分の３長クッション性インソールアセンブリの様々な異なるビューを示している。
【図１Ｈ】図１Ａ〜図１Ｍは、本明細書に記載されている実施形態に従った４分の３長クッション性インソールアセンブリの様々な異なるビューを示している。
【図１Ｉ】図１Ａ〜図１Ｍは、本明細書に記載されている実施形態に従った４分の３長クッション性インソールアセンブリの様々な異なるビューを示している。
【図１Ｊ】図１Ａ〜図１Ｍは、本明細書に記載されている実施形態に従った４分の３長クッション性インソールアセンブリの様々な異なるビューを示している。
【図１Ｋ】図１Ａ〜図１Ｍは、本明細書に記載されている実施形態に従った４分の３長クッション性インソールアセンブリの様々な異なるビューを示している。
【図１Ｌ】図１Ａ〜図１Ｍは、本明細書に記載されている実施形態に従った４分の３長クッション性インソールアセンブリの様々な異なるビューを示している。
【図１Ｍ】図１Ａ〜図１Ｍは、本明細書に記載されている実施形態に従った４分の３長クッション性インソールアセンブリの様々な異なるビューを示している。
【図２Ａ】図２Ａ〜図２Ｋは、本明細書に記載されている実施形態に従った別の４分の３長クッション性インソールアセンブリの様々な異なるビューを示している。
【図２Ｂ】図２Ａ〜図２Ｋは、本明細書に記載されている実施形態に従った別の４分の３長クッション性インソールアセンブリの様々な異なるビューを示している。
【図２Ｃ】図２Ａ〜図２Ｋは、本明細書に記載されている実施形態に従った別の４分の３長クッション性インソールアセンブリの様々な異なるビューを示している。
【図２Ｄ】図２Ａ〜図２Ｋは、本明細書に記載されている実施形態に従った別の４分の３長クッション性インソールアセンブリの様々な異なるビューを示している。
【図２Ｅ】図２Ａ〜図２Ｋは、本明細書に記載されている実施形態に従った別の４分の３長クッション性インソールアセンブリの様々な異なるビューを示している。
【図２Ｆ】図２Ａ〜図２Ｋは、本明細書に記載されている実施形態に従った別の４分の３長クッション性インソールアセンブリの様々な異なるビューを示している。
【図２Ｇ】図２Ａ〜図２Ｋは、本明細書に記載されている実施形態に従った別の４分の３長クッション性インソールアセンブリの様々な異なるビューを示している。
【図２Ｈ】図２Ａ〜図２Ｋは、本明細書に記載されている実施形態に従った別の４分の３長クッション性インソールアセンブリの様々な異なるビューを示している。
【図２Ｉ】図２Ａ〜図２Ｋは、本明細書に記載されている実施形態に従った別の４分の３長クッション性インソールアセンブリの様々な異なるビューを示している。
【図２Ｊ】図２Ａ〜図２Ｋは、本明細書に記載されている実施形態に従った別の４分の３長クッション性インソールアセンブリの様々な異なるビューを示している。
【図２Ｋ】図２Ａ〜図２Ｋは、本明細書に記載されている実施形態に従った別の４分の３長クッション性インソールアセンブリの様々な異なるビューを示している。
【図３Ａ】図３Ａ〜図３Ｇは、本明細書に記載されている実施形態に従った全長クッション性インソールアセンブリの様々な異なるビューを示している。
【図３Ｂ】図３Ａ〜図３Ｇは、本明細書に記載されている実施形態に従った全長クッション性インソールアセンブリの様々な異なるビューを示している。
【図３Ｃ】図３Ａ〜図３Ｇは、本明細書に記載されている実施形態に従った全長クッション性インソールアセンブリの様々な異なるビューを示している。
【図３Ｄ】図３Ａ〜図３Ｇは、本明細書に記載されている実施形態に従った全長クッション性インソールアセンブリの様々な異なるビューを示している。
【図３Ｅ】図３Ａ〜図３Ｇは、本明細書に記載されている実施形態に従った全長クッション性インソールアセンブリの様々な異なるビューを示している。
【図３Ｆ】図３Ａ〜図３Ｇは、本明細書に記載されている実施形態に従った全長クッション性インソールアセンブリの様々な異なるビューを示している。
【図３Ｇ】図３Ａ〜図３Ｇは、本明細書に記載されている実施形態に従った全長クッション性インソールアセンブリの様々な異なるビューを示している。
【発明を実施するための形態】
【０００９】
（詳細な説明）
様々な実施形態が、添付図面を参照して以下により十分に記載されており、添付図面は、本明細書の一部を形成し、添付図面は、例証によって、特定の実施形態を示しており、その特定の実施形態によって、本発明が実行され得る。しかしながら、その実施形態は、多くの異なる形態で具体化され得、本明細書に記載されている実施形態に限定されるように解釈されるべきではない；むしろ、これらの実施形態は、本開示が完璧かつ完全であるように提供され、実施形態の範囲を当業者に十分に伝達する。したがって、以下の詳細な説明は、限定的であるべきではない。
【００１０】
本明細書および特許請求の範囲の全体を通して、以下の用語は、文脈が明らかに他の態様で規定しない限り、本明細書において明示的に関係する意味をとる。用語「本明細書に（ｈｅｒｅｉｎ）」は、本願と関係する本明細書、特許請求の範囲および図面に言及する。本明細書に使用されているフレーズ「１つの実施形態において」は、必ずしも同一の実施形態に言及しないが、そのフレーズは、同一の実施形態に言及し得る。さらに、本明細書に使用されているフレーズ「別の実施形態において」は、必ずしも異なる実施形態に言及しないが、そのフレーズは、異なる実施形態に言及し得る。したがって、後述されるように、本発明の様々な実施形態が、本発明の範囲または精神から逸脱することなく、容易に組み合わせられ得る。
【００１１】
加えて、本明細書に使用されるとき、用語「または」は、文脈が明らかに他の態様で規定しない限り、包括的な「ｏｒ」演算子であり、用語「および／または」と同等である。用語「に基づいて」は、文脈が明らかに他の態様で規定しない限り、排他的ではなく、記載されていない追加のファクタに基づくことを可能にする。加えて、本明細書全体を通して、「ある（ａ）」、「ある（ａｎ）」および「その（ｔｈｅ）」の意味は、複数参照を含む。「において（ｉｎ）」の意味は、「内（ｉｎ）」および「上（ｏｎ）」を含む。
【００１２】
本明細書に使用されるとき、用語「履物」は、消費者の足に着用されるべき物品に言及する。履物は、靴、ブーツ、スリッパ、サンダルなどを含み得るが、これらに限定されない。同様に、履物は、様々な異なるスポーツ活動または野外活動用の様々なタイプの履物（ランニングシューズ、ハイキングシューズまたはブーツ、スキーブーツ、スノーボードブーツ、ロッククライミングシューズ、バイク用シューズ、ゴルフ用シューズ、トラックシューズ／スパイク、ローラースケート、アイススケートなどを含むが、これらに限定されない）を含み得る。実施形態は、概して、靴を参照して記載されているが、他のタイプの履物も本明細書に記載されている実施形態において利用され得る。１対の靴は、左足用の履物物品（すなわち、左足靴）と右足用の履物物品（すなわち、右足靴）との両方を含み得る。
【００１３】
本明細書に使用されるとき、用語「インソール」は、インソールの底部が靴のソール（すなわち、ミッドソール、またはミッドソールの上面をカバーする材料）を係合し、インソールの上面が（靴下の有無にかかわらず）着用者の足を係合するように構成および配置されている履物におけるインサートに言及する。インソールは、矯正具でもあり得る。
【００１４】
（概要）
様々な実施形態において、本明細書に記載されているインソールアセンブリは、インソールまたはアセンブリとも呼ばれ得る。全ての図面に示されているインソールは、右足靴用であり、左足アセンブリが、右足靴用に等しい実質的な鏡像であることが理解される。加えて、インソールの寸法は、関係する靴のサイズ（すなわち、長さおよび幅）および／または関係する靴およびインソールの着用者の性別に基づいて変えられ得る。例えば、図１Ａ〜図１Ｍおよび図３Ａ〜図３Ｇは、男性靴用の右側インソールを示し得、図２Ａ〜図２Ｋは、女性靴用の右側インソールを示し得る。
【００１５】
より詳細に後述されるように、本明細書に記載されている矯正アセンブリは、柔質構成要素と硬質構成要素との両方を含み、これらは、いくつかの実施形態において靴のアッパーからの有意な内向き支え（ｉｎｗａｒｄ  ｂｕｔｔｒｅｓｓｉｎｇ）に依存することなくデバイスの輪郭付き形状を維持するために協力する。他の実施形態は、いくらかの靴アッパー支持に依存する；実際には、いくつかの実施形態において、インソールは、靴のアッパーに規定されるように、異なる幅に適合可能であり、所定の位置に保持される。結果として、アセンブリは、耐久性があり、具体的には、運動靴において使用するために適合させられ、輪郭および形状は、デバイスによって供給されるクッション性を損なう必要なく維持される。さらに、構成要素は、異なる度合の硬質／支持を、その硬質／支持が足の適切な生体力学的動作に必要である領域において提供するように、かつ、歩行サイクルを通して足が進むにつれての足の下の下向き圧力における変化に対応するこれらの領域間の段階的な移行を提供するように構成されている。
【００１６】
図１Ａ〜図１Ｍは、男性靴用の右側の４分の３長インソールである。４分の３長インソールは、例えば、ドレスシューズに好ましくあり得る。図１Ａは、本明細書に記載されている実施形態に従ったクッション性インソールの斜視分解図である。図１Ａに見られることが可能であるように、インソールアセンブリ１００を組成する構成要素は、上部クッション性部材１０４、および概ね硬質な下部支持部材１０６である。様々な実施形態において、本明細書に記載されている上部クッション性部材１０４は、クッション性部材（あるいはブランクまたはブランク部材）とも呼ばれ得る。様々な実施形態において、本明細書に記載されている概ね硬質な下部支持部材１０６は、支持部または支持部材とも呼ばれ得る。いくつかの実施形態において、インソール１００は、上面カバー１０２も含み得る。この上面カバー１０２は、インソール１００の快適性、湿気制御または臭気制御などを促進することが可能である繊維材料であり得る。様々な実施形態において、上面カバー１０２は、クッション性部材１０４に粘着され得る。
【００１７】
クッション性部材１０４の本体は、クッション性材料（例えば、連続気泡発泡体または独立気泡発泡体）から形成される。クッション性部材１０４は、概して、下にある靴ソールの後部から着用者の足の中足骨頭部の後ろおよび／またはその付近の中足部分まで延在する。いくつかの実施形態において、この長さが、下にある靴ソールの４分の３長と呼ばれ得る。しかし、図３Ａ〜図３Ｇに示されているように、いくつかの実施形態において、クッション性部材１０４が４分の３長より長くまたは短く延在し得ることが理解される。
【００１８】
クッション性部材１０４の上部表面は、人間の足の足底表面を係合し受け取るように輪郭付けられている。クッション性部材１０４の底部表面は、略平坦であるが、支持部材１０６の上面と同様の平面輪郭を有し、その結果、支持部材１０６と一緒にクッション性部材１０４が、安定した態様で標準靴ソールの上面上に整合して載る。クッション性部材１０４の薄く実質的に平坦な中足部分は、概して、部材の前部の横断面において延在する一方で、後方端部は、着用者の足のかかとを係合する下向き凹形ヒールカップ部分を含む。
【００１９】
次に、硬質支持部材１０６は、クッション性部材１０４と協力するように構成および配置されており、これは、より詳細に後述される。概して、支持部材１０６は、クッション性部材１０４と共に、靴からの内向き支え（ｉｎｗａｒｄ  ｂｕｔｔｒｅｓｓｉｎｇ）に依存することなく、インソール１００の形状を維持し、それにより、さらに、足の異なる部位に最適化された支持を提供する。いくつかの実施形態において、幅狭い靴アッパーは、少し内向きの支持部材の側面を備え得るが、インソールは、様々な幅および傾斜した輪郭の靴アッパーを適応させることが可能である。
【００２０】
図１Ｂ〜図１Ｆに見られることが可能であるように、支持部材１０６は、比較的薄い分岐構成要素であり、その構成要素は、クッション性部材１０４の周辺部を延伸し、その結果、その構成要素は、クッション性部材１０４の後足端部１１６周りに、支持部材１０６の内側および外側に沿って前向きに延在し、次いで、クッション性部材１０４の前端部の下に延在し、これは、クッション性部材１０４の周辺部全体に沿って支持を提供する。支持部材１０６は、ナイロンプラスチックから作られ得るが、他の射出成形されたプラスチックも、工学的判断に応じて多少の硬質を提供するために利用され得る。支持部材１０６に利用される材料は、重量が相対的に軽量であるが十分な強度および硬質を有することについてのそれらの材料の特性に基づいて決定され得る。
【００２１】
図１Ｂ〜図１Ｆは、支持部材１０６の様々なビューを示している。図１Ｂは、図１のインソールの支持部材の平面図である。支持部材１０６自身は、内側立上り壁および外側立上り壁（内壁１３０および外壁１３２）を含み、内側立上り壁および外側立上り壁は、クッション性部材１０４の内側および外側に沿って、後足端部１１６においてクッション性部材の後足端部周りに延在する。第１のフランジ部分（内側フランジ部分１２０）は、側壁部分（内壁１３０）の底縁部から内向きに延在し、第２のフランジ部分（外側フランジ部分１１４）は、側壁部分（外壁１３２）の底縁部から内向きに延在し、これらのフランジ部分は、後部において後足フランジ部１１８によって、前部において前端部（中足）フランジ部１２４によって接続されている。
【００２２】
支持部材１０６の壁は、概して、土踏まず領域（すなわち、土踏まず移行部分１２８）付近の内側１２２上で最も高く、部材の外側１１２に沿って部材の前端部とヒール端部周りとに向かって下向きにテーパー状であり得る。この追加の壁の高さは、支持部材１０６に対する追加の支持を提供することが可能であり、これは、土踏まず移行部分１２８の形状に因り、土踏まず部の下に硬い縁部が全く存在しないので、有益であり得る。
【００２３】
後足フランジ部１１８は、略Ｕ字型であり得、その結果、後足フランジ部１１８は、クッション性部材１０４のヒールカップ部分を部分的に囲むように、デバイスのヒール端部周りに延在する。後足フランジ部１１８は、支持部材１０６の一方の側面上の内側フランジ部分１２０および他方の側面上の外側フランジ部１１４へ延在する。
【００２４】
内側フランジ部分１２０は、後足フランジ部１１８から前端フランジ部１２４まで、内側１２２に沿って、前端フランジ部１２４へ延在する。さらに、外側フランジ部１１４は、後足フランジ部１１８から外側１１２に沿って前端フランジ部１２４へ延在する。
【００２５】
前端フランジ部１２４は、クッション性部材１０４の前端部を係合するように、クッション性部材１０４の下の中足領域を横切って側方に相対的に平坦であり得る。様々な実施形態において、前端フランジ部１２４の前部は、クッション性部材１０４の前端部の前方へ延在し得、その結果、支持部材１０６の前端部１０８は、クッション性部材１０４の前端部の前方にある。
【００２６】
いくつかの実施形態において、前端フランジ部１２４の少なくとも一部は、前足部に向かってテーパー状であり得、それにより、着用者の快適性を改善し、着用者の足から靴をはずすことを妨げない。少なくとも前端フランジ部１２４は、クッション性部材１０４が上向きに丸まる可能性を軽減するために、クッション性部材１０４に粘着され得る。この丸まる動きは、‐支持部材１０６の前端部１０８がない場合‐着用者の足を靴からはずすときに着用者の足がクッション性部材１０４の前端部にひっかかるときに起こる可能性がある。着用者の足がクッション性部材１０４の前端部にひっかかる度に、前端部は、上向きに丸まる傾向があり得、これは、経時的に、インソールを快適でなくさせ、インソールを潜在的に損傷させる可能性がある。
【００２７】
土踏まず側（すなわち、内側１２２）は、内側壁１３０と内側フランジ部１２０との間に土踏まず移行部分１２８を含み、その結果、土踏まず移行部分１２８が、支持部材１０６の外部における内側壁１３０から支持部材１０６の（着用者の靴のソールの上面に隣接する）底部における内側フランジ部分１２０まで下向きに傾斜する。様々な実施形態において、土踏まず移行部分１２８は、内側１２２上において前部位置１３４から後位１３６まで着用者の土踏まずに沿って凹形であり得る。いくつかの実施形態において、前部位置１３４は、前端フランジ部１２４の後方にあり得、後位１３６は、後足フランジ部１１８の前方にあり得る。この土踏まず移行部は、中央開口領域１１０と一緒に、インソール１００が、より幅狭い靴（すなわち、インソールの土踏まず部の幅より幅狭い土踏まず部における内幅を有する靴）または内傾斜面を有する靴により容易にフィットするように側方に屈曲することを可能にすると同時に、より幅広い靴（すなわち、インソールの土踏まず部の幅より幅広い土踏まず部における内幅を有する靴）においても十分な支持を着用者の足に提供する。
【００２８】
内側フランジ部１２０、外側フランジ部１１４および後足フランジ部１１８は、靴のソールに沿って相対的に均一幅である。内側フランジ部１２０および外側フランジ部１１４は、砂時計状形状を作り出すようにインソールの長手方向中心線に向かって弓形および凹形であり得るが、内側フランジ部１２０および外側フランジ部１１４は、中央開口領域１１０によって隔てられたままである。いくつかの実施形態において、内側フランジ部１２０は、外側フランジ部１１４よりはっきりした弓形形状を有し得る。砂時計形状の内側および外側は、相対的に平行である内側および外側を有するインソールより多種多様な靴と適合可能なインソールを作成することが可能である。これは、そのインソールがより幅狭い靴および／または内部に輪郭付きの靴において使用されることを可能にすることに特に有益である。
【００２９】
いくつかの実施形態において、外側フランジ部１１４は、クッション性部材１０４の底部表面をさらに係合するために、拡張されたフランジ部分１３８を含み得る。この拡張されたフランジ部分は、概して、アセンブリの長手方向中心線に向かって収束する弓形内縁部を有するが、依然として、中央開口領域１１０によって内側フランジ部１２０から隔たれたままである。このようにして、クッション性部材１０４は、中央開口領域１１０を通して、靴のソールまたはミッドソールを係合することが可能である。
【００３０】
いくつかの実施形態において、図１Ｄに見られることが可能であるように、支持部材１０６は、後足部分１１６から前端部分１０８まで下向きに少し湾曲し得る。この少しの湾曲は、上昇したヒール部分１２６を作り出すことが可能であり、上昇したヒール部分１２６は、着用者がインソールに体重をかけたときにバネのように働く。
【００３１】
図１Ｃは、インソール１００の支持部材１０６の上方斜視図である。図１Ｄは、インソール１００の支持部材１０６の左側立面図である。図１Ｅは、インソール１００の支持部材１０６の背面立面図である。図１Ｆは、インソール１００の支持部材１０６の正面軸外立面図である。これらの図は、異なるビューからのインソールの様々な構成要素を示している。
【００３２】
図１Ｇ〜図１Ｍは、支持クッション１０４と支持部材１０６とを有するインソール１００の様々なビューを示している。図１Ｇ〜図１Ｍは、図示の簡単さのために上面カバー１０２を示していない。図１Ｇは、組立てられたインソール１００の平面図である。図１Ｈは、組立てられたインソール１００の上方斜視図である。図１Ｉは、組立てられたインソール１００の右底斜視図である。図１Ｊは、組立てられたインソール１００の左底斜視図である。図１Ｋは、組立てられたインソール１００の左側立面図である。図１Ｌは、組立てられたインソール１００の背面立面図である。図１Ｍは、組立てられたインソール１００の正面軸外立面図である。
【００３３】
図に見られることが可能であるように、支持部材１０６およびクッション性部材１０４は、相互作用するサイズであり、相互作用するように輪郭付けられ、その結果、支持部材１０６の上部内表面は、クッション性部材１０４の下部外面上の対応する表面に整合し曲がる。クッション性部材１０４の底部表面および支持部材１０６の上部表面は、任意の適した手段（例えば、粘接着または熱接着を含む）によって、相互に接合または粘着され得る。１つの非限定的な例において、インソールは、二重成形プロセスによって形成され得、二重成形プロセスにおいては、まず、支持部材１０６が成形され得、次いで、クッション性部材１０４が、支持部材１０６上へ直接成形され、この２つを一緒に粘着し得る。
【００３４】
上述されているように、図１Ａ〜図１Ｍは、男性のインソールについてであり得、図２Ａ〜図２Ｋは、女性のインソールについてであり得る。したがって、男性のインソールに対する参照において記載されている実施形態は、女性のインソールにも適用される。インソール間の輪郭の相違のうちの多くが、男女間の生体構造および生体力学における相違に因るものであることに留意されるべきである。図のいくつかは、インソールの少し異なる角度および位置を示し得る。例えば、図２Ｄおよび図２Ｅにおいて、インソールは、前端部分および後足部分が同一平面上にあるように、後足部分に向かって少し傾けられて示されている。
【００３５】
図２Ａ〜図２Ｋは、女性用靴の右足の４分の３長インソールの様々なビューを示している。図２Ａは、別のクッション性インソール２００の斜視分解図である。図２Ａに見られることが可能であるように、インソールアセンブリ２００を組成する構成要素は、上部クッション性部材２０４、および概ね硬質な下部支持部材２０６である。クッション性部材２０４は、クッション性部材１０４の実施形態であり得るが、女性の足および靴用に設計されている。支持部材２０６は、支持部材１０６の実施形態であり得るが、女性の足および靴用に設計されている。インソール１００と同様に、インソール２００も、上面カバー２０２を含み得る。上面カバー２０２は、上面カバー１０２の実施形態であり得る。
【００３６】
インソール１００と同様に、支持部材２０６およびクッション性部材２０４は、相互作用するサイズであり、相互作用するように輪郭付けられ、その結果、支持部材２０６の上部内表面は、クッション性部材２０４の下部外面上の対応する表面に整合し曲がる。
【００３７】
図２Ｂは、インソール２００の支持部材２０６の平面図である。図２Ｃは、インソール２００の支持部材２０６の上面斜視図である。図２Ｄは、インソール２００の支持部材２０６の左側立面図である。図２Ｅは、インソール２００の支持部材２０６の背面立面図である。図２Ｆは、支持部材２０６およびクッション性部材２０４を示している組立てられたインソール２００の平面図である。図２Ｇは、支持部材２０６およびクッション性部材２０４を示しているインソール２００の上面斜視図である。図２Ｈは、支持部材２０６およびクッション性部材２０４を示しているインソール２００の右底斜視図である。図２Ｉは、支持部材２０６およびクッション性部材２０４を示しているインソール２００の左側立面図である。図２Ｊは、支持部材２０６およびクッション性部材２０４を示しているインソール２００の背面立面図である。図２Ｋは、支持部材２０６およびクッション性部材２０４を示しているインソール２００の正面軸外立面図である。
【００３８】
様々な実施形態において、支持部材２０６は、内側立上り壁および外側立上り壁（内壁２３０および外壁２３２）を含み、内側立上り壁および外側立上り壁は、クッション性部材２０４の内側２２２および外側２１２に沿って延在し、後足端部２１６においてクッション性部材の後足端部周りに延在する。第１のフランジ部分（内側フランジ部分２２０）は、側壁部分（内壁２３０）の底縁部から内向きに延在し、第２のフランジ部分（外側フランジ部分２１４）は、側壁部分（外壁２３２）の底縁部から内向きに延在し、これらのフランジ部分は、後部において後足フランジ部２１８によって接続され、前部において前端部２０８における前端部（中足）フランジ部２２４によって接続されており、それにより、中央開口部２１０を作り出す。
【００３９】
支持部材２０６の内側２２２も、内側壁２３０と内側フランジ部２２０との間にある土踏まず移行部分２２８を含み、その結果、土踏まず移行部分２２８が、支持部材２０６の外部における内側壁２３０から支持部材２０６の（着用者の靴のソールの上面に隣接する）底部における内側フランジ部分２２０まで下向きに傾斜する。様々な実施形態において、土踏まず移行部分２２８は、内側２２２上において前部位置２３４から後位２３６まで着用者の土踏まずに沿って凹形であり得る。
【００４０】
図２Ａ〜図２Ｋに示されている様々な実施形態において、支持部材２０６の前端部２０８は、支持部材１０６の前端部１０８の実施形態であり得、支持部材２０６の中央開口領域２１０は、支持部材１０６の中央開口領域１１０の実施形態であり得、支持部材２０６の外側フランジ部分２１４は、支持部材１０６の外側フランジ部分１１４の実施形態であり得、支持部材２０６の後足端部２１６は、支持部材１０６の後足端部１１６の実施形態であり得、支持部材２０６の後足フランジ部２１８は、支持部材１０６の後足フランジ部１１８の実施形態であり得、支持部材２０６の内側フランジ部２２０は、支持部材１０６の内側フランジ部１２０の実施形態であり得、支持部材２０６の前端フランジ部２２４は、支持部材１０６の前端フランジ部１２４の実施形態であり得、支持部材２０６の土踏まず移行部分２２８は、支持部材１０６の土踏まず移行部分１２８の実施形態であり得、支持部材２０６の内壁２３０は、支持部材１０６の内壁１３０の実施形態であり得、支持部材２０６の外壁２３２は、支持部材１０６の外壁１３２の実施形態であり得る。
【００４１】
上述されているインソール１００およびインソール２００は、４分の３長インソールである。図３Ａ〜図３Ｇは、全長インソールの様々なビューを示している。図３Ａは、クッション性インソールアセンブリ３００の右底斜視図である。図３Ｂは、インソール３００の底面図である。図３Ｃは、インソール３００の右側立面図である。図３Ｄは、インソール３００の左側立面図である。図３Ｅは、インソール３００の背面立面図である。図３Ｆは、インソール３００の上面斜視図である。図３Ｇは、インソール３００の平面図である。
【００４２】
インソール３００は、クッション性発泡部材３０４と、半硬質支持部材３０６とを含む。いくつか実施形態において、インソール３００は、（前の実施形態に示されている上面カバーに類似する）上面カバーも含み得る。この上面カバーは、インソールの快適性、湿気制御または臭気制御などを促進することが可能である繊維材料であり得る。
【００４３】
クッション性部材３０４の本体は、クッション性材料から形成される。クッション性材料３０４は、概して、下にある靴ソールの後部から、下にある靴の前部まで延在する。いくつかの実施形態において、この長さは、下にある靴ソールの全長と呼ばれ得る。クッション性部材３０４の上部表面は、人間の足の足底表面を係合し受け取るように輪郭付けられている。クッション性部材３０４の底部表面は、略平坦であるが、支持部材３０６の上面と同様の平面輪郭を有し、その結果、支持部材３０６と一緒にクッション性部材３０４が、安定した態様で標準的な靴ソールの上面上に整合して載る。クッション性部材３０４の薄く実質的に平坦な中足部分は、概して、部材の前部の横断面において延在する一方で、後方端部は、着用者の足のかかとを係合する下向き凹形ヒールカップ部分を含む。
【００４４】
次に、硬質支持部材３０６は、クッション性部材３０４と協力するように構成および配置されており、これは、より詳細に後述される。概して、支持部材３０６は、クッション性部材３０４と共に、靴からの内向き支えに依存することなく、インソール３００の形状を維持し、それにより、さらに、足の異なる部位に最適化された支持を提供する。
【００４５】
図３Ａ〜図３Ｇに見られることが可能であるように、支持部材３０６は、‐上述されている支持部材１０６または支持部材２０６に類似する‐比較的薄い分岐構成要素であり、その構成要素は、クッション性部材３０４の周辺部に沿って部分的に延在し、その結果、その構成要素は、クッション性部材３０４の後足端部周りに延在し、支持部材３０６の内側および外側に沿って前向きに延在し、これは、クッション性部材３０４の周辺部に沿って支持を提供する。支持部材３０６は、ナイロンプラスチックから作られ得るが、他の射出成形されたプラスチックも、工学的判断に応じて多少の硬質を提供するために利用され得る。支持部材３０６に利用される材料は、重量が相対的に軽量であるが十分な強度および硬質を有することについてのそれらの材料の特性に基づいて決定され得る。
【００４６】
支持部材３０６自身は、内側立上り壁および外側立上り壁（内壁３３０および外壁３３２）を含み、内側立上り壁および外側立上り壁は、クッション性部材３０４の内側および外側に沿って延在し、後足端部においてクッション性部材の後足端部周りに延在する。第１のフランジ部分（内側フランジ部分３２０）は、側壁部分（内壁３３０）の底縁部から内向きに延在し、第２のフランジ部分（外側フランジ部分３１４）は、側壁部分（外壁３３２）の底縁部から内向きに延在し、これらのフランジ部分は、後部において後足フランジ部３１８によって接続されている。
【００４７】
内側フランジ部３２０は、位置３４８において、土踏まず移行部分３２８の前方で終端する。外側フランジ部３１４は、位置３４２が位置３４８の後方であるように、位置３４２において、外側３１２上の土踏まず部中間で終端する。
【００４８】
後足フランジ部３１８は、略Ｕ字型であり得、その結果、後足フランジ部３１８は、クッション性部材３０４のヒールカップ部分を部分的に囲むように、デバイスのヒール端部周りに延在する。後足フランジ部３１８は、支持部材３０６の一方の側面上の内側フランジ部分３２０および他方の側面上の外側フランジ部３１４へ延在する。
【００４９】
土踏まず側（すなわち、内側３２２）は、内側壁３３０と内側フランジ部３２０との間に土踏まず移行部分３２８を含み、その結果、土踏まず移行部分３２８は、支持部材３０６の外部における内側壁３３０から支持部材３０６の（着用者の靴のソールの上面に隣接する）底部における内側フランジ部分３２０まで下向きに傾斜する。いくつかの実施形態において、内側壁３３０の前方部分は、位置３４４において終端し得、位置３４４は、土踏まず部中間にありかつ土踏まず移行部分３２８の位置３４０の後方にある。
【００５０】
様々な実施形態において、土踏まず移行部分３２８の下側は、内側３２２上において前部位置３４０から後位３４６まで着用者の土踏まずに沿って凹形であり得る。いくつかの実施形態において、前部位置３４０は、位置３４８と内側フランジ部３２０の前部との後方にあり得、後位３４６は、後足フランジ部３１８の前方にあり得る。この土踏まず移行部は、中央開口領域３１０と一緒に、インソール３００が、より幅狭い靴または内部に輪郭付きの靴（すなわち、インソールの土踏まず部の幅より幅狭い土踏まず部における内幅を有する靴）により容易にフィットするように側方に屈曲することを可能にすると同時に、より幅広い靴（すなわち、インソールの土踏まず部の幅より幅広い土踏まず部における内幅を有する靴）においても十分な支持を着用者の足に提供する。土踏まず移行部分３２８の輪郭は、傾斜輪郭を有し得る靴アッパー内の安定した位置においてインソールが収まることも可能にする。
【００５１】
内側フランジ部３２０、外側フランジ部３１４および後足フランジ部３１８は、靴ソールに沿って相対的に均一幅であり得る。内側フランジ部３２０および外側フランジ部３１４は、砂時計状形状を作り出すようにインソールの長手方向中心線に向かって弓形および凹形であり得るが、内側フランジ部３２０および外側フランジ部３１４は、中央開口領域３１０によって隔てられたままである。いくつかの実施形態において、内側フランジ部３２０は、外側フランジ部３１４よりはっきりした弓形形状を有し得る。この砂時計形状の内側および外側は、相対的に平行である内側および外側を有するインソールより多種多様な靴と適合可能なインソールを作成することが可能である。これは、そのインソールがより幅狭い靴および／または内部に輪郭付きの靴において使用されることを可能にすることに特に有益である。
【００５２】
いくつかの実施形態において、外側フランジ部３１４は、クッション性部材３０４の底部表面をさらに係合するために、拡張されたフランジ部分を含み得る。この拡張されたフランジ部分は、概して、アセンブリの長手方向中心線に向かって収束する弓形内縁部を有するが、依然として、中央開口領域３１０によって内側フランジ部３２０から隔たれたままである。このようにして、クッション性部材３０４は、中央開口領域３１０を通して、靴のソールを係合することが可能である。
【００５３】
いくつかの実施形態において、図３Ｄに見られることが可能であるように、インソール３００および／または支持部材３０６は、後足部分から前端部分まで下向きに少し湾曲し得る。この少しの湾曲は、上昇したヒール部分３２６を作り出すことが可能であり、上昇したヒール部分３２６は、着用者がインソールに体重をかけたときにバネのように働く。または、それは、履物ミッドソールまたはソールの内部輪郭に単により密接に従い得る。
【００５４】
上記の詳述、例およびデータは、本発明の構成要素の製造および使用の完全な説明を提供する。本発明の多くの実施形態が、本発明の精神および範囲から逸脱することなく実施されることが可能であるので、本発明は、以下に添付されている特許請求の範囲に属する。
【図１Ａ】
0006727813.tif 000002
【図１Ｂ】
0006727813.tif 000003
【図１Ｃ】
0006727813.tif 000004
【図１Ｄ】
0006727813.tif 000005
【図１Ｅ】
0006727813.tif 000006
【図１Ｆ】
0006727813.tif 000007
【図１Ｇ】
0006727813.tif 000008
【図１Ｈ】
0006727813.tif 000009
【図１Ｉ】
0006727813.tif 000010
【図１Ｊ】
0006727813.tif 000011
【図１Ｋ】
0006727813.tif 000012
【図１Ｌ】
0006727813.tif 000013
【図１Ｍ】
0006727813.tif 000014
【図２Ａ】
0006727813.tif 000015
【図２Ｂ】
0006727813.tif 000016
【図２Ｃ】
0006727813.tif 000017
【図２Ｄ】
0006727813.tif 000018
【図２Ｅ】
0006727813.tif 000019
【図２Ｆ】
0006727813.tif 000020
【図２Ｇ】
0006727813.tif 000021
【図２Ｈ】
0006727813.tif 000022
【図２Ｉ】
0006727813.tif 000023
【図２Ｊ】
0006727813.tif 000024
【図２Ｋ】
0006727813.tif 000025
【図３Ａ】
0006727813.tif 000026
【図３Ｂ】
0006727813.tif 000027
【図３Ｃ】
0006727813.tif 000028
【図３Ｄ】
0006727813.tif 000029
【図３Ｅ】
0006727813.tif 000030
【図３Ｆ】
0006727813.tif 000031
【図３Ｇ】
0006727813.tif 000032